(57)【特許請求の範囲】
【請求項１】
光ディスクの厚さ変化効果を生じると共に、その厚さ変化効果の大小が可変的である光学素子を経由してランド／グルーブ型光ディスクに光ビームを照射する段階と、
前記光ディスクから反射／回折された光ビームを内側光領域及び外側光領域に区分して検出する段階と、
前記光学素子を駆動して前記光ディスクの厚さ変化効果の大小を変えつつ前記内側光領域の検出信号及び外側光領域の検出信号を差動した信号の変化を検出してランド／グルーブを判別する段階とを含み、
前記差動信号のＤＣレベルの増減によりランド／グルーブを判別する
ことを特徴とするランド／グルーブ判別方法。
【請求項２】
前記光学素子は、前記光ディスクの厚さ変化による球面収差を補正するために選択的に使用可能であることを特徴とする請求項１に記載のランド／グルーブ判別方法。
【請求項３】
光源から出射され、対物レンズで集束されて光ディスクに照射される光ビームの経路上に光ディスクの厚さ変化効果を生じると共に、その厚さ変化効果の大小が可変的である光学素子、及び前記光ディスクから反射／回折された光ビームを内側光領域及び外側光領域に区分して検出する光検出デバイスを含む光ピックアップと、
前記内側光領域の検出信号及び外側光領域の検出信号を差動して差動信号を検出し、前記光学素子を駆動して光ディスクの厚さ変化効果の大小を変えつつ前記差動信号の変化を検出してランド／グルーブ型光ディスクのランド／グルーブを判別できる信号処理部とを含み、
前記信号処理部は、前記差動信号のＤＣレベルの増減によりランド／グルーブを判別する
ことを特徴とする光記録再生機器。
【請求項４】
前記光学素子は、前記光ディスクの厚さ変化により生じる球面収差を補正するために選択的に使用可能であることを特徴とする請求項３に記載の光記録再生機器。
【請求項５】
前記光検出デバイスは、前記光ビームを前記光ディスクの半径方向に対応する方向に内側光領域及び外側光領域に区分して検出することを特徴とする請求項３または４のいずれか一項に記載の光記録再生機器。
【請求項６】
前記光検出デバイスは、８分割構造の光検出器を含むことを特徴とする請求項５に記載の光記録再生機器。
【請求項７】
前記光検出デバイスは、前記光ビームを円形または四角形の内側光領域及びそれを取り囲む外側光領域に区分して検出することを特徴とする請求項３ないし５のいずれか一項に記載の光記録再生機器。
【請求項８】
前記光検出デバイスは、前記内側光領域を受光する４枚の内側分割板と、前記外側光領域を受光するように前記内側分割板を取り囲む８枚の外側分割板とよりなる１２分割構造の光検出器を含むことを特徴とする請求項７に記載の光記録再生機器。
【発明の詳細な説明】
【０００１】
【発明の属する技術分野】
本発明はランド／グルーブ型光ディスクにおいて、光スポットが形成される位置がランドであるか、あるいはグルーブであるかを判別する光ディスクのランド／グルーブ判別方法及びこれを適用した光記録再生機器に関する。
【０００２】
【従来の技術】
ランド／グルーブ型光ディスクに対する安定したトラッキング及びフォーカシングのためには、現在光スポットが結ばれる位置がランドであるか、あるいはグルーブであるかを判別する必要がある。これは、特に、プッシュ−プル法によるトラッキング時に対物レンズの切換えによるトラッキングエラー信号のオフセットの補正及びフォーカシングオフセットの補正がランド及びグルーブに別々に適用されなければならないからである。
【０００３】
図１を参照すれば、従来のランド／グルーブを判別するための光ピックアップは、光源１と、前記光源から出射された発散光ビームを平行光ビームに変えるコリメーティングレンズ３と、光ビームを回折させて分割するホログラム素子５と、入射光ビームを偏光により透過または反射させる偏光ビームスプリッタ７と、入射光ビームの偏光を変える１／４波長板９と、光ビームを集束させて光ディスク１０上に光スポットを形成する対物レンズ１１と、光ディスク１０から反射／回折された光ビームを受ける光検出器１５とを含んでなる。
【０００４】
前記ホログラム素子５は、入射された光ビームを回折させてメイン光ビーム、第１及び第２サブ光ビームに分岐させる。前記ホログラム素子５は、図２に示されたように、第１ないし第４領域５ａ、５ｂ、５ｃ、５ｄに分割されており、第１及び第３領域５ａ、５ｃを通過した光ビーム及び第２及び第４領域５ｂ、５ｄを通過した光ビームが９０°の位相差を有する。このため、第１サブ光ビーム、すなわち、+１次光ビームの第１及び第３領域５ａ、５ｃを通過した部分の位相は第２及び第４領域５ｂ、５ｄを通過した部分の位相よりも９０°速い。これとは逆に、第２サブ光ビーム、すなわち、-１次光ビームの第１及び第３領域５ａ、５ｃを通過した部分の位相は第２及び第４領域５ｂ、５ｄを通過した部分の位相よりも９０°遅い。
【０００５】
図３を参照すれば、前記対物レンズ１１は、前記ホログラム素子５で分岐されたメイン光ビーム、第１及び第２サブ光ビームを集束させて光ディスク１０上にメイン光スポット１ａ、第１及び第２サブ光スポット１ｂ、１ｃを形成する。
【０００６】
図４を参照すれば、前記光検出器１５は、前記光ディスク１０から反射されたメイン光ビーム、第１及び第２サブ光ビームを各々受けて検出するメイン光検出器１５ａと第１及び第２サブ光検出器１５ｂ、１５ｃを含む。前記メイン光検出器１５ａは、４枚の分割板Ａ，Ｂ，Ｃ，Ｄを含む。これと同様に、第１サブ光検出器１５ｂは、４枚の分割板Ｅ，Ｆ，Ｇ，Ｈを、そして第２サブ光検出器１５ｃは４枚の分割板Ｉ，Ｊ，Ｋ，Ｌを各々含む。
【０００７】
前記メイン光検出器１５ａの４枚の分割板Ａ，Ｂ，Ｃ，Ｄから出力される信号を各々ａ、ｂ、ｃ、ｄとし、前記第１サブ光検出器１５ｂの４枚の分割板Ｅ，Ｆ，Ｇ，Ｈから出力される信号を各々ｅ、ｆ、ｇ、ｈとし、前記第２サブ光検出器１５ｃの４枚の分割板Ｉ，Ｊ，Ｋ，Ｌから出力される信号を各々ｉ、ｊ、ｋ、ｌとしたとき、再生信号ＲＦＳ、ランド／グルーブ信号Ｌ／Ｇｓｉｇｎａｌ、トラッキングエラー信号ＴＥＳは各々下記式（１）〜式（３）のように表わされる。
【０００８】
【数１】
0004153195.tif 000002
【０００９】
【数２】
0004153195.tif 000003
【００１０】
【数３】
0004153195.tif 000004
【００１１】
このように検出されたトラッキングエラー信号ＴＥＳ及びランド／グルーブ信号Ｌ／Ｇ ｓｉｇｎａｌは、図５から明らかなように、同一の周期を有し、９０°の位相差を有する。そして、トラッキングエラー信号ＴＥＳ値が０である時、ランド／グルーブ信号Ｌ／Ｇ ｓｉｇｎａｌは最大及び最小が繰り返される。したがって、フォーカシングされた光スポットの位置がランドであるか、あるいはグルーブであるかが分かる。
【００１２】
ところで、前記のように、従来の光ピックアップは、光源１から出射された光ビームを３本に分割して用いるため、光効率が低下するという問題点がある。
【００１３】
【発明が解決しようとする課題】
本発明は上記事情に鑑みてなされたものであり、その目的は、単一の光ビームを用いることから光効率が高く、しかも、光ディスクの厚さ変化効果を生じる光学素子を用いることからランド／グルーブを判別できるランド／グルーブ判別方法及び光記録再生機器を提供することである。
【００１４】
【課題を解決するための手段】
前記目的を達成するために、本発明によるランド／グルーブ判別方法は、光ディスクの厚さ変化効果を生じると共に、その厚さ変化効果の大小が可変的である光学素子を経由してランド／グルーブ型光ディスクに光ビームを照射する段階と、前記光ディスクから反射／回折された光ビームを内側光領域及び外側光領域に区分して検出する段階と、前記光学素子を駆動して前記光ディスクの厚さ変化効果の大小を変えつつ前記内側光領域の検出信号及び外側光領域の検出信号を差動した信号の変化を検出してランド／グルーブを判別する段階とを含むことを特徴とする。
【００１５】
前記目的を達成するために、本発明による光記録再生機器は、光源から出射され、対物レンズで集束されて光ディスクに照射される光ビームの経路上に光ディスクの厚さ変化効果を生じると共に、その厚さ変化効果の大小が可変的である光学素子、及び前記光ディスクから反射／回折された光ビームを内側光領域及び外側光領域に区分して検出する光検出デバイスを含む光ピックアップと、前記内側光領域の検出信号及び外側光領域の検出信号を差動して差動信号を検出し、前記光学素子を駆動して光ディスクの厚さ変化効果の大小を変えつつ前記差動信号の変化を検出してランド／グルーブ型光ディスクのランド／グルーブを判別できる信号処理部とを含むことを特徴とする光記録再生機器。
【００１６】
ここで、望ましくは、前記光学素子は、前記光ディスクの厚さ変化により生じる球面収差を補正するために選択的に使用可能である。
一方、前記光検出デバイスは、前記光ビームを前記光ディスクの半径方向に対応する方向に内側光領域及び外側光領域に区分して検出するように構成可能である。ここで、前記光検出デバイスは、８分割構造の光検出器を含む。
【００１７】
代案として、前記光検出デバイスは、前記光ビームを円形または四角形の内側光領域及びそれを取り囲む外側光領域に区分して検出するように構成可能である。ここで、前記光検出デバイスは、前記内側光領域を受光する４枚の内側分割板と、前記外側光領域を受光するように前記内側分割板を取り囲む８枚の外側分割板とよりなる１２分割構造の光検出器を含む。
【００１８】
【発明の実施の形態】
本発明は、光ディスクの厚さ変化効果を生じる光学素子を経由してランド／グルーブ型光ディスクに単一の光ビームを照射し、該光ディスクから反射された光ビームを内側光領域及び外側光領域に区分して検出して、内側光領域の検出信号及び外側光領域の検出信号を差動した差動信号の光ディスクの厚さ変化効果の増加または減少による変化を検出することによりランド／グルーブを判別する点にその特徴がある。
【００１９】
図６を参照すれば、本発明の一実施形態による光記録再生機器は、光ピックアップ３０と、光ディスク５０のランド／グルーブを判別するための信号を処理する信号処理部７０とを備える。
【００２０】
前記光ピックアップ３０は、光源３１と、前記光源３１から出射された光ビームを集束させて光ディスク５０上に光スポットとして結ばせる対物レンズ３９と、前記光源３１と対物レンズ３９との間の光路上に配置されて入射光の進行経路を変える光路変換デバイス３５と、前記光源３１と対物レンズ３９との間の光路上に光ディスク５０の厚さ変化効果を生じる光学素子３７と、前記光ディスク５０から反射／回折された光ビームを内側光領域及び外側光領域に区分して検出する光検出デバイス４５とを含んでなる。
【００２１】
前記光源３１としては、半導体レーザーを備える。前記半導体レーザーには、角発光レーザー（ｅｄｇｅ ｅｍｉｔｔｉｎｇ ｌａｓｅｒ）及び表面発光レーザー（ｖｅｒｔｉｃａｌ ｃａｖｉｔｙ ｓｕｒｆａｃｅ ｅｍｉｔｔｉｎｇ ｌａｓｅｒ）がある。
【００２２】
前記光路変換デバイス３５としては、入射光を所定の割合で透過及び反射させるビームスプリッタを備えることができる。代案として、前記光路変換デバイス３５は、入射光を偏光により選択的に透過または反射させる偏光ビームスプリッタ（図示せず）と、この偏光ビームスプリッタ（図示せず）と対物レンズ３９との間の光路上に配置されて入射光の位相を変える１／４波長板（図示せず）とを含むこともできる。
【００２３】
本発明による光記録再生機器を次世代ＤＶＤ、いわゆる、ＨＤ-ＤＶＤ（Ｈｉｇｈ Ｄｅｆｉｎｉｔｉｏｎ-ＤＶＤ）系の記録媒体記録／再生用として用いるためには、前記光源３１としては、略４００ｎｍないし４２０ｎｍ波長の光、望ましくは、略４０５ｎｍ波長の光を出射する青色半導体レーザーを使用し、前記対物レンズ３９は、望ましくは、０．７以上、より望ましくは、０．８５の開口数（ＮＡ）を有する。
【００２４】
前記光ピックアップ３０は、前記光源３１と光路変換デバイス３５との間の光路上に光源３１から出射された発散光ビームを平行光ビームに変えるコリメーティングレンズ３３をさらに備え、前記光路変換デバイス３５と前記光検出デバイス４５との間の光路上には入射光ビームを集束させる検出レンズ４１をさらに備えうる。
【００２５】
前記光学素子３７は、望ましくは、光ディスク５０の厚さ変化により生じる球面収差を可変的に補正可能である。球面収差の補正は、球面収差補正用光学素子により光ビームの位相を変えて、光ディスクの厚さ変化により生じる球面収差とは反対となる波面を有する光ビームを光ディスクに入射させることによりなされる。このように、光ディスクの厚さ変化により生じる球面収差を、その生じた球面収差とは反対となる球面収差を光ディスクに入射する光ビームに加えることにより補正する原理を逆に用いて光ビームに球面収差を生じれば、光ディスク５０の厚さ変化効果（＝光入射面から情報記録面までの光路長が変化する効果）を生じることができる。
【００２６】
このような光学素子３７としては、電極パターンを有する２枚の透明基板の間に液晶を封じ込んで形成された液晶プレートを備えることができる。液晶プレートは、液晶の屈折率異方性特性により、液晶プレートを通過する光の位相を変える。したがって、前記液晶プレートを前記光ディスク５０の厚さ変化効果が生じるように、そして、その厚さ変化効果の大小が変わるように駆動したり、あるいは光ディスク５０の厚さ変化により生じる球面収差とは反対となる波面を有するように駆動することで入射光ビームの波面を変えれば、選択的に光ディスク５０のランド／グルーブの判別、または光ディスク５０の厚さ変化による球面収差の補正が可能になる。
【００２７】
前記光学素子３７を駆動するための駆動回路は、前記信号処理部７０に組み込むこともできれば、別設することもできる。
【００２８】
このような光学素子３７を備えた本発明による光記録再生機器は、選択的に、ランド／グルーブ型光ディスク５０のランド／グルーブを判別することができ、あるいは光ディスク５０の厚さ変化により生じる球面収差を補正することができる。ここで、光ディスク５０の厚さとは、該光ディスク５０の光入射面から情報記録面までの距離を言う。そして、球面収差の補正を必要とする光ディスク５０の厚さ変化とは、光ディスク５０内における位置による厚さ偏差及び相異なる光ディスク５０間の厚さの差を言う。
【００２９】
前記光検出デバイス４５は、前記光ディスク５０の半径方向に対応する方向に前記光ビームを内側光領域及び外側光領域に区分して検出するように構成可能である。この時、望ましくは、前記内側光領域及び外側光領域の分割比は１０：９０ないし９０：１０である。
【００３０】
前記光検出デバイス４５としては、フォーカス誤差信号の検出などを考慮して、図７に示されたように、前記光ディスク５０の半径方向に対応する方向に前記光ビームを内側光領域及び外側光領域に区分して検出できる８分割構造の光検出器４６を備えることができる。
【００３１】
前記８分割光検出器４６の第１ないし第４内側分割板Ａ１、Ｂ１、Ｃ１、Ｄ１は前記光ビームの内側光領域を受光し、光ディスク５０の半径方向に対応する方向に前記第１ないし第４内側分割板Ａ１、Ｂ１、Ｃ１、Ｄ１の外側に各々配置された第１ないし第４外側分割板Ａ２、Ｂ２、Ｃ２、Ｄ２は前記光ビームの外側光領域を受光する。
【００３２】
代案として、前記光検出デバイス４５は、前記光ビームを円形または四角形の内側光領域及びそれを取り囲む外側光領域に区分して検出するように構成することもできる。例えば、前記光検出デバイス４５としては、図８及び図９に示されたように、前記光ビームを四角形の内側光領域及びそれを取り囲む外側光領域に区分して検出できる８分割または１２分割構造の光検出器４７、４８を備えることができる。
【００３３】
８分割光検出器４７の内側分割板Ａ１'、Ｂ１'、Ｃ１'、Ｄ１'は前記光ビームの内側光領域を受光し、前記内側分割板Ａ１'、Ｂ１'、Ｃ１'、Ｄ１'を取り囲む外側分割板Ａ２'、Ｂ２'、Ｃ２'、Ｄ２'は前記光ビームの外側光領域を受光する。また、１２分割光検出器４８の内側分割板Ａ、Ｂ、Ｃ、Ｄは前記光ビームの内側光領域を受光し、前記内側分割板Ａ、Ｂ、Ｃ、Ｄを取り囲む外側分割板Ｅ、Ｆ、Ｇ、Ｈ、Ｉ、Ｊ、Ｋ、Ｌは前記光ビームの外側光領域を受光する。
【００３４】
ここで、前記光検出デバイス４５は、図７の８分割光検出器４６または図８の８分割光検出器４７、または図９の１２分割光検出器４８に対応するように、入射する光ビームを内側光領域及び外側光領域に分割できる複数の回折領域を有するホログラム素子（図示せず）及びこのホログラム素子で回折／分離された光ビームを検出できる複数の光検出器（図示せず）を含む。
【００３５】
この出願人は、前記のように球面収差補正可能な光学素子を備えて、光ディスクの厚さ変化により生じる球面収差を補正できる光学的な構成を有する光ピックアップ技術を、“記録媒体の厚さ変化検出及び／またはその厚さ変化により生じた球面収差補正可能な光ピックアップ装置”という題目で出願した特願平１３−２４８１４４号公報に提案している。したがって、本発明による光記録再生機器に採用される光ピックアップ３０は、前記特願平１３-２４８１４４号公報に開示された光学的な特徴をいずれも含むものと見なし、光検出デバイス４５に対する各種の実施形態のより詳細な説明は省略する。
【００３６】
前記信号処理部７０は、前記内側光領域の検出信号及び外側光領域の検出信号を差動して差動信号を検出し、この差動信号を光学素子３７側にフィードバックして前記光学素子３７を駆動することにより光ディスク５０の厚さ変化効果の大小を変えつつ前記差動信号の変化、特に、その差動信号のＤＣレベルの変化を検出して光ディスク５０のランド／グルーブを判別する。
【００３７】
前記内側及び外側光領域の検出信号を各々Ｓ１、Ｓ２としたとき、前記信号処理部７０は、例えば、図１０に示されたように、前記内側光領域の検出信号Ｓ１及び外側光領域の検出信号Ｓ２を差動する差動器７１と、この差動器７１から出力される差動信号Ｓ１−Ｓ２を用いて光学素子３７を駆動する駆動器７３と、前記駆動器７３を制御して光ディスク５０の厚さ変化効果の大小を変えつつ前記差動信号Ｓ１、Ｓ２のＤＣレベルの変化から光ディスク５０のランド／グルーブを判別してランド／グルーブ判別信号を出力するランド／グルーブ判別部７５とを含んでなる。
【００３８】
ここで、前記信号処理部７０は、光ディスク５０の厚さ変化効果の大小によるランド／グルーブにおける差動信号の差がより明確になるように、前記内側光領域の検出信号及び外側光領域の検出信号のうち少なくとも一つの検出信号を所定ゲインで増幅させた後に互いに差動するように構成することもできる。
【００３９】
前記差動信号、特に、その差動信号のＤＣレベルの変化はランド／グルーブ判別信号としてだけではなく、光ディスク５０の厚さ変化により生じる球面収差を補正するために、球面収差検出信号としても使用できる。
【００４０】
以上述べたように、本発明の一実施形態による光記録再生機器によれば、別途の光学素子の追加なしに球面収差補正用光学素子３７を備えた光ピックアップ３０光学系を備えることにより、ランド／グルーブを判別できるだけでなく、光ディスク５０の厚さ変化による球面収差を補正することができる。すなわち、前記球面収差検出信号はランド及びグルーブで逆方向に作用する。しかし、本発明により検出されたランド／グルーブ判別信号により、光ディスク５０の厚さ変化による球面収差の補正に際して収差補正の方向を定めることができるので、ランドであるか、あるいはグルーブであるかにより正確な球面収差の補正が可能である。
【００４１】
以下では、前記したように、本発明の一実施形態による光記録再生機器によりランド／グルーブを判別できる原理について説明する。
【００４２】
図１１Ａ及び図１１Ｂは各々、波長が４００ｎｍである光源、開口数（ＮＡ）が０．８５である対物レンズを用いてグルーブ幅が０．３０μｍであるランド／グルーブ型光ディスクを再生するとき、その光ディスクの厚さが１０μｍ程度厚くなる効果が生じた時、ランド及びグルーブから反射された光ビームの対物レンズ出射瞳における光量分布を示したものである。図１１Ａ及び図１１Ｂから明らかなように、光ディスク５０が厚くなる効果に対し、ランドから反射された光ビーム及びグルーブから反射された光ビームの光量分布は互いに反対の傾向に変わる。すなわち、ランドに対しては、光ビームの内側光領域に比べて外側光領域の光量が大きくなるのに対し、グルーブに対しては、光ビームの内側光領域の光量が外側光領域に比べて大きくなる。図１１Ａ及び図１１Ｂの光量分布の差は、光ディスク５０が厚くなる効果が生じたとき、内側光領域の検出信号及び外側光領域の検出信号を差動した差動信号のＤＣレベル（以下では、ランド／グルーブ判別信号）がランドに対しては下がるのに対し、グルーブに対しては上がることを表わす。
【００４３】
図１２は、光検出デバイス４５として図７に示された８分割光検出器を用い、光ディスクの厚さ効果を-１０μｍから+１０μｍまで変えつつ検出した、ランドに対するランド／グルーブ判別信号及びグルーブに対するランド／グルーブ判別信号を示したグラフである。図１２の結果は、波長が４０５ｎｍである光源、開口数が０．８５であり、焦点距離が１．７６ｍｍである対物レンズを用い、トラックピッチが０．３２μｍであり、グルーブ深さが-λ／６であり、最小マーク（３Ｔ）長が０．１９４μｍであり、そして厚さが０．１ｍｍであるランド／グルーブ構造のＲＡＭ型光ディスクに対して得られたものである。
【００４４】
図１２から明らかなように、光学素子３７を駆動して光ディスク５０の厚さを-１０μｍから+１０μｍまで増やしたとき、ランド／グルーブ判別信号がランドでは線形的に下がり、グルーブでは線形的に上がる。
【００４５】
したがって、前述のように、本発明による光記録再生機器によれば、光学素子３７を駆動して光ディスク５０の厚さ変化効果を変えつつ差動信号のＤＣレベルの増減を検出することによりランド／グルーブを判別できるので、前記光学素子３７に光ディスク５０の厚さ変化による球面収差を補正するための球面収差検出信号をフィードバックするに先立って、現在光スポットの位置がランドにあるか、あるいはグルーブにあるかを判断して正確な補正方向に球面収差を補正することが可能になる。
【００４６】
また、前述のように、本発明による光記録再生機器によれば、現在光スポットの位置がランドにあるか、あるいはグルーブにあるかが判断できるので、フォーカス及び／またはトラッキングサーボの最適化が可能である。
【００４７】
以上では、前記光学素子３７が球面収差補正機能を兼ねることと説明及び図示したが、前記光学素子３７が球面収差補正機能を兼ねず、光ディスク５０の厚さ変化効果を生じる機能だけを有することもできる。
【００４８】
【発明の効果】
以上述べたように、本発明は、光源から出射された単一の光ビームを光ディスクの厚さ変化効果を生じる光学素子を経由してランド／グルーブ型光ディスクに照射し、該光ディスクから反射された光ビームを内側光領域及び外側光領域に区分して検出し、前記光ディスクの厚さ変化効果の大小を変えつつ内側光領域の検出信号及び外側光領域の検出信号を差動した差動信号の変化を検出し、この差動信号の変化から光スポットの位置がランドにあるか、あるいはグルーブにあるかを判断するような構造となっているので、光効率が高い。
【図面の簡単な説明】
【図１】  従来のランド／グルーブを判別するための光ピックアップを概略的に示した図である。
【図２】  図１のホログラム素子を示した平面図である。
【図３】  図１の光ピックアップにより光ディスクに形成される光スポットを示した図である。
【図４】  図１の光検出器を示した平面図である。
【図５】  図１の光ピックアップを採用した従来の光記録再生機器で検出されるトラッキングエラー信号ＴＥＳ及びランド／グルーブ信号Ｌ／Ｇ ｓｉｇｎａｌを示したグラフである。
【図６】  本発明の一実施形態による光記録再生機器を概略的に示した図である。
【図７】  図６の光検出デバイスの実施形態を示した図である。
【図８】  図６の光検出デバイスの実施形態を示した図である。
【図９】  図６の光検出デバイスの実施形態を示した図である。
【図１０】  図６の信号処理部構成の一例を示したブロック図である。
【図１１Ａ】  光スポットがランドに形成される時、そこから反射された光ビームの光量分布を示した図である。
【図１１Ｂ】  光スポットがグルーブに形成される時、そこから反射された光ビームの光量分布を示した図である。
【図１２】  本発明による光記録再生機器により検出されたランド及びグルーブにおける光ディスクの厚さ効果の変化によるランド／グルーブ判別信号の変化を示した図である。
【符号の説明】
３１  光源
３７  光学素子
３９  対物レンズ
４５  光検出デバイス
５０  光ディスク
７０  信号処理部
【図１】
0004153195.tif 000005
【図２】
0004153195.tif 000006
【図３】
0004153195.tif 000007
【図４】
0004153195.tif 000008
【図５】
0004153195.tif 000009
【図６】
0004153195.tif 000010
【図７】
0004153195.tif 000011
【図８】
0004153195.tif 000012
【図９】
0004153195.tif 000013
【図１０】
0004153195.tif 000014
【図１１Ａ】
0004153195.tif 000015
【図１１Ｂ】
0004153195.tif 000016
【図１２】
0004153195.tif 000017